【手続補正書】
【提出日】平成22年12月8日(2010.12.8)
【手続補正１】
【補正対象書類名】特許請求の範囲
【補正対象項目名】全文
【補正方法】変更
【補正の内容】
【特許請求の範囲】
【請求項１】
撮像手段と、
所定の時間間隔で前記撮像手段を駆動させて、複数の画像を順次取得する画像取得手段と、
この画像取得手段による取得中に、前記所定の時間間隔を変更する変更手段と、
この変更手段によって変更された時間間隔を、そのときに取得された画像に関連付けて記憶する時間間隔記憶手段と、
前記変更手段によって変更された時間間隔で順次取得した複数の画像間の変化の度合いを検出する検出手段と、
この検出手段によって検出された変化の度合いに応じて、前記複数の画像を合成する画像合成手段と、
前記複数の画像を順次再生する際、これら複数の画像間の合成画像が前記画像合成手段によって合成されている場合には、これらの複数の画像に介在させて前記合成画像を再生する再生手段と
を備えたことを特徴とする撮像装置。
【請求項２】
前記再生手段による再生の際に、再生対象の画像が前記時間間隔記憶手段によって記憶された時間間隔と関連付けられているとき、時間間隔が変更された旨を報知する報知手段を更に備えたことを特徴とする請求項１記載の撮像装置。
【請求項３】
前記画像取得手段による取得開始からの経過時間を計時する計時手段と、
この計時手段によって計時された経過時間を前記画像取得手段によって順次取得された複数の画像と対応付けて記録する記録手段とを備え、
前記時間間隔記憶手段は、前記変更手段によって変更された時間間隔と、変更時の経過情報と対応付けて記憶し、
前記再生手段は、前記記録手段によって記録された複数の画像を順次再生し、
前記報知手段は、前記再生手段による再生の際に、再生対象の画像に対応付けて記録された経過時間が前記時間間隔記憶手段によって記憶された変更時の経過時間に到達すると、時間間隔が変更された旨を報知することを特徴とする請求項２記載の撮像装置。
【請求項４】
前記所定の時間間隔を基準として、前記変更手段によって変更された時間間隔に対応する再生速度情報を記憶する再生速度情報記憶手段を更に備え、
前記報知手段は、再生対象の画像に対応付けて記録された経過時間が前記時間間隔記憶手段によって記憶された変更時の経過時間に到達すると、この経過時間に対応して前記変更内容記憶手段に記憶された時間間隔に基づいて、前記再生速度情報記憶手段から対応する再生速度情報を読み出して表示する再生速度情報表示手段を含むことを特徴とする請求項３記載の撮像装置。
【請求項５】
任意の位置に移動可能な操作部を更に備え、
前記変更手段は、前記操作部が移動した位置に基づいて前記時間間隔を変更することを特徴とする請求項１乃至４いずれか記載の撮像装置。
【請求項６】
前記画像合成手段は、前記複数の画像間における注目画像の動きベクトルを算出し、この動きベクトルに基づき、画像を合成することを特徴とする請求項１乃至５いずれか記載の撮像装置。
【請求項７】
所定の時間間隔で撮像部を駆動させて、複数の画像を順次取得する画像取得ステップと、
この画像取得ステップによる取得中に、前記所定の時間間隔を変更する変更ステップと、
この変更ステップによって変更された時間間隔を、そのときに取得された画像に関連付けて記憶させる時間間隔記憶ステップと、
前記変更ステップにて変更された時間間隔で順次取得した複数の画像間の変化の度合いを検出する検出ステップと、
この検出ステップにて検出された変化の度合いに応じて、前記複数の画像を合成する画像合成ステップと、
前記複数の画像を順次再生する際、これら複数の画像間の合成画像が前記画像合成ステップにて合成されている場合には、これらの複数の画像に介在させて前記合成画像を再生する再生ステップと
を含むことを特徴とする記録・再生方法。
【請求項８】
コンピュータを、
所定の時間間隔で撮像部を駆動させて、複数の画像を順次取得する画像取得手段、
この画像取得手段による取得中に、前記所定の時間間隔を変更する変更手段、
この変更手段によって変更された時間間隔を、そのときに取得された画像に関連付けて記憶させる時間間隔記憶手段、
前記変更手段によって変更された時間間隔で順次取得した複数の画像間の変化の度合いを検出する検出手段、
この検出手段によって検出された変化の度合いに応じて、前記複数の画像を合成する画像合成手段、
前記複数の画像を順次再生する際、これら複数の画像間の合成画像が前記画像合成手段によって合成されている場合には、これらの複数の画像に介在させて前記合成画像を再生する再生手段
として機能させることを特徴とするプログラム。
【手続補正２】
【補正対象書類名】明細書
【補正対象項目名】発明の名称
【補正方法】変更
【補正の内容】
【発明の名称】撮像装置、記録・再生方法、及び、プログラム
【手続補正３】
【補正対象書類名】明細書
【補正対象項目名】０００１
【補正方法】変更
【補正の内容】
【０００１】
本発明は、連続撮影機能及び再生機能を備えた撮像装置、及び、撮像装置、記録・再生方法、及び、プログラムに関する。
【手続補正４】
【補正対象書類名】明細書
【補正対象項目名】０００４
【補正方法】変更
【補正の内容】
【０００４】
本発明は、かかる課題に鑑みてなされたものであり、連続撮影中でも撮影者が所望する時間間隔で連続撮影でき、また、連続撮影された画像からの所望の画像の検索を容易に行うことができる撮像装置、記録・再生方法、及び、プログラムを提供することを目的とするものである。
【手続補正５】
【補正対象書類名】明細書
【補正対象項目名】０００５
【補正方法】変更
【補正の内容】
【０００５】
前記課題を解決するため請求項１記載の発明にあっては、撮像手段と、所定の時間間隔で前記撮像手段を駆動させて、複数の画像を順次取得する画像取得手段と、この画像取得手段による取得中に、前記所定の時間間隔を変更する変更手段と、この変更手段によって変更された時間間隔を、そのときに取得された画像に関連付けて記憶する時間間隔記憶手段と、前記変更手段によって変更された時間間隔で順次取得した複数の画像間の変化の度合いを検出する検出手段と、この検出手段によって検出された変化の度合いに応じて、前記複数の画像を合成する画像合成手段と、前記複数の画像を順次再生する際、これら複数の画像間の合成画像が前記画像合成手段によって合成されている場合には、これらの複数の画像に介在させて前記合成画像を再生する再生手段とを備えたことを特徴とする。
【手続補正６】
【補正対象書類名】明細書
【補正対象項目名】０００６
【補正方法】変更
【補正の内容】
【０００６】
また、請求項２記載の発明にあっては、請求項１記載の発明に加え、前記再生手段による再生の際に、再生対象の画像が前記時間間隔記憶手段によって記憶された時間間隔と関連付けられているとき、時間間隔が変更された旨を報知する報知手段を更に備えたことを特徴とする。
【手続補正７】
【補正対象書類名】明細書
【補正対象項目名】０００７
【補正方法】変更
【補正の内容】
【０００７】
また、請求項３記載の発明にあっては、請求項２記載の発明に加え、前記画像取得手段による取得開始からの経過時間を計時する計時手段と、この計時手段によって計時された経過時間を前記画像取得手段によって順次取得された複数の画像と対応付けて記録する記録手段とを備え、前記時間間隔記憶手段は、前記変更手段によって変更された時間間隔と、変更時の経過情報と対応付けて記憶し、前記再生手段は、前記記録手段によって記録された複数の画像を順次再生し、前記報知手段は、前記再生手段による再生の際に、再生対象の画像に対応付けて記録された経過時間が前記時間間隔記憶手段によって記憶された変更時の経過時間に到達すると、時間間隔が変更された旨を報知することを特徴とする。
【手続補正８】
【補正対象書類名】明細書
【補正対象項目名】０００８
【補正方法】変更
【補正の内容】
【０００８】
また、請求項４記載の発明にあっては、請求項３記載の発明に加え、前記所定の時間間隔を基準として、前記変更手段によって変更された時間間隔に対応する再生速度情報を記憶する再生速度情報記憶手段を更に備え、前記報知手段は、再生対象の画像に対応付けて記録された経過時間が前記時間間隔記憶手段によって記憶された変更時の経過時間に到達すると、この経過時間に対応して前記変更内容記憶手段に記憶された時間間隔に基づいて、前記再生速度情報記憶手段から対応する再生速度情報を読み出して表示する再生速度情報表示手段を含むことを特徴とする。
【手続補正９】
【補正対象書類名】明細書
【補正対象項目名】０００９
【補正方法】変更
【補正の内容】
【０００９】
また、請求項５記載の発明にあっては、請求項１乃至４いずれか記載の発明において、任意の位置に移動可能な操作部を更に備え、前記変更手段は、前記操作部が移動した位置に基づいて前記時間間隔を変更することを特徴とする。
【手続補正１０】
【補正対象書類名】明細書
【補正対象項目名】００１０
【補正方法】変更
【補正の内容】
【００１０】
また、請求項６記載の発明にあっては、請求項１乃至５いずれか記載の発明において、前記画像合成手段は、前記複数の画像間における注目画像の動きベクトルを算出し、この動きベクトルに基づき、画像を合成することを特徴とする。
【手続補正１１】
【補正対象書類名】明細書
【補正対象項目名】００１１
【補正方法】変更
【補正の内容】
【００１１】
前記課題を解決するため請求項７記載の発明にあっては、所定の時間間隔で撮像部を駆動させて、複数の画像を順次取得する画像取得ステップと、この画像取得ステップによる取得中に、前記所定の時間間隔を変更する変更ステップと、この変更ステップによって変更された時間間隔を、そのときに取得された画像に関連付けて記憶させる時間間隔記憶ステップと、前記変更ステップにて変更された時間間隔で順次取得した複数の画像間の変化の度合いを検出する検出ステップと、この検出ステップにて検出された変化の度合いに応じて、前記複数の画像を合成する画像合成ステップと、前記複数の画像を順次再生する際、これら複数の画像間の合成画像が前記画像合成ステップにて合成されている場合には、これらの複数の画像に介在させて前記合成画像を再生する再生ステップとを含むことを特徴とする。
【手続補正１２】
【補正対象書類名】明細書
【補正対象項目名】００１２
【補正方法】変更
【補正の内容】
【００１２】
前記課題を解決するため請求項８記載の発明にあっては、コンピュータを、所定の時間間隔で撮像部を駆動させて、複数の画像を順次取得する画像取得手段、この画像取得手段による取得中に、前記所定の時間間隔を変更する変更手段、この変更手段によって変更された時間間隔を、そのときに取得された画像に関連付けて記憶させる時間間隔記憶手段、前記変更手段によって変更された時間間隔で順次取得した複数の画像間の変化の度合いを検出する検出手段、この検出手段によって検出された変化の度合いに応じて、前記複数の画像を合成する画像合成手段、前記複数の画像を順次再生する際、これら複数の画像間の合成画像が前記画像合成手段によって合成されている場合には、これらの複数の画像に介在させて前記合成画像を再生する再生手段として機能させることを特徴とする。